(57)【要約】      （修正有）【課題】濾過槽での濾過を行う前に、予備濾過によってアスファルト片やコンクリート片、小石、土砂等の大きな粒子を取り除くことができ、濾過槽のフィルタで脱水できない大きな粒子が濾過槽に沈殿、堆積することを防止でき、メンテナンス性に優れると共に、濾過槽に沈殿した土砂などを汲み取って脱水濾過を行い、大幅に水分量を減らした懸濁物質を確実に回収することができ、脱水効果に優れ、濾過水の再利用率が高く、省資源性、環境保護性に優れた懸濁排水処理装置の提供。【解決手段】濾過槽２内の上部に配設されメッシュ状の濾過ベルトで懸濁排水の予備濾過を行うスクリーンコンベア５と、スクリーンコンベアの下流側の端部で濾過ベルトに当接して配設され濾過ベルトの表面に付着した懸濁物質の掻き落としを行う掻き落とし機構と、掻き落とし機構の下方に配設され掻き落とし機構により掻き落とされた懸濁物質を回収するシュート１０とを備えている。【選択図】図１
0003133227.tif 000002
【実用新案登録請求の範囲】
【請求項１】
回収した懸濁排水を濾過槽で濾過し、懸濁物質を脱水分離して、濾過水をワークに循環させる懸濁排水処理装置であって、
前記濾過槽内の上部に配設されメッシュ状の濾過ベルトで前記懸濁排水の予備濾過を行うスクリーンコンベアと、前記スクリーンコンベアの下流側の端部で前記濾過ベルトに当接して配設され前記濾過ベルトの表面に付着した前記懸濁物質の掻き落としを行う掻き落とし機構と、前記掻き落とし機構の下方に配設され前記掻き落とし機構により掻き落とされた前記懸濁物質を回収するシュートと、を備えたことを特徴とする懸濁排水処理装置。
【請求項２】
前記スクリーンコンベアの上流側の両側部に配設された案内ブラシを備えたことを特徴とする請求項１に記載の懸濁排水処理装置。
【請求項３】
前記濾過槽内の底部に横設されたスクリューコンベアと、前記スクリューコンベアの下流側の前記濾過槽の側部に形成された沈殿物排出孔と、を備えたことを特徴とする請求項１又は２に記載の懸濁排水処理装置。
【請求項４】
前記濾過槽内の上下方向に配設された無限軌道と前記無限軌道に配設され前記濾過槽内の底部に溜まった沈殿物を汲み取るバケットとを備えたバケットコンベアと、前記バケットで汲み取った前記沈殿物を前記濾過槽の上方で受け止めて回収する沈殿物回収部と、を備えたことを特徴とする請求項１乃至３の内いずれか１項に記載の懸濁排水処理装置。
【請求項５】
前記沈殿物回収部の出口が前記スクリーンコンベア上に開口していることを特徴とする請求項４に記載の懸濁排水処理装置。
【請求項６】
前記バケットコンベアが、前記無限軌道に前記バケットを回動自在に支持する回動支持部と、前記回動支持部に配設され前記バケットを前記無限軌道の進行方向に付勢する付勢バネと、を有し、前記沈殿物回収部の上方に前記バケットの一側部に当接して前記バケットを前記無限軌道の進行方向と逆方向に傾倒させるバケット傾倒部材が突設されていることを特徴とする請求項４又は５に記載の懸濁排水処理装置。
【請求項７】
前記濾過槽内に配置され前記懸濁排水がその外部表面側から供給されて濾過された前記濾過水が内部裏面側から排出される全体が袋状に形成された円板状のフィルタと、前記フィルタの中心に挿通固定され前記フィルタで濾過された濾過水が排出される中空の回転軸管と、前記回転軸管に接続され前記懸濁排水を吸引し前記フィルタで濾過された濾過水を前記ワークに供給する吸引ポンプと、前記フィルタの外表面に付着した前記懸濁物質を剥離させる剥離機構と、前記懸濁排水の水面上の空間に開口した上部開口部を有し前記剥離機構の直下に配設された剥離懸濁物質回収シュートと、を備えたことを特徴とする請求項１乃至６の内いずれか１項に記載の懸濁排水処理装置。
【請求項８】
前記剥離機構が、前記フィルタの外表面に近接して配設された長尺板状のスクレーパと、前記スクレーパを保持するスクレーパ保持部と、前記スクレーパ保持部の基部に配設された振動発生部と、を備えたことを特徴とする請求項７に記載の懸濁排水処理装置。
【考案の詳細な説明】
【技術分野】
【０００１】
本考案は、河川工事、下水工事、道路工事、トンネル内の壁面工事等で使用される懸濁排水捕集装置や道路カッター等の装置（以下、ワークという）から排出される懸濁排水を回収濾過し、懸濁物質を脱水分離して、濾過水をワークに循環させて再使用できる懸濁排水処理装置に関する。
【背景技術】
【０００２】
従来、河川工事、下水工事、道路工事、トンネル内の壁面工事等の各種建設土木工事等で、例えば道路カッター等から排出される懸濁排水はそのまま周囲に廃棄したり、貯留水槽に溜め浄化処理場等に搬送し浄化がなされたりしていた。
懸濁排水を浄化させるために固液分離装置等を組み合わせて浄化処理が行なわれており、このような懸濁排水の浄化処理に関して、例えば以下のような技術のものが知られている。
（特許文献１）には、「濁水・泥水を貯留する貯留槽と、前記濁水・泥水に凝集剤を投入する凝集剤投入手段と、前記凝集剤と前記濁水・泥水を混合してフロックを生成する混合装置と、前記混合装置で生成された前記フロックを水と分離する濾過装置とを備えた濁水・泥水処理装置」が記載されている。
（特許文献２）には、「微生物性汚泥貯槽の汚泥液面上に設けられた回転軸に中心部が固定され、下部が汚泥に浸漬される回転円板体と、該円板体の上部にて該円板体の中心部から円周方向に向けて該円板体の両側表面に当接される掻取り装置及び搾液ロールと、濃縮汚泥又は搾液を系外に搬出する排出溝を有する微生物性汚泥濃縮装置」が記載されている。
【０００３】
しかしながら、（特許文献１）に記載の凝集剤投入手段を有する濁水・泥水処理装置は、硫酸アルミニウム等の凝集剤を懸濁排水に加えて細かい粒子を凝集させフロック化させるので、汚泥の容積が増え排出時の作業性に欠け、この凝集剤が拡散して周囲の環境を汚染しやすい上に、高濃度の濁水には効果がなく、薬剤のコストがかかる等、経済性にも欠けるという問題点があった。また、フロックと水とを分離する濾過装置が多孔質体からなり、濁水の処理に伴ってその網目体の表面に固形分が厚く付着していくために、濁水の濾過効率が次第に低下して、大量処理が困難になるとともにメンテナンスが煩雑で作業性に欠けるという問題点があった。
（特許文献２）に記載の微生物性汚泥濃縮装置は、円板体の濾過層の毛管現象により水分を吸引し、濾過層表面に濃縮汚泥を付着させるものなので、微生物性汚泥貯槽の底に汚泥が沈澱し易く濾過脱水効率が悪いという問題点があった。また、排出溝から系外に排出された濾過水を回収或いは循環させる構造を有していないので、濾過水を有効利用することができず、省資源性に欠けるという問題点があった。掻取り装置により掻取られた濃縮汚泥を排出溝から系外に掻出す手段を有していないので、排出溝の内部に濃縮汚泥が溜まってしまい系外に排出できず信頼性に欠けるという問題点があった。
【０００４】
これら従来の問題点を解決するために、本出願人が鋭意研究し出願した（特許文献３）には、「道路カッターの懸濁排水が供給される濾過槽と、濾過槽内に配置され懸濁排水がその外部表面側から供給されて濾過された処理水が内部裏面側から排出される全体が袋状に形成された円板状のフィルタと、フィルタの中心に挿通固定されフィルタで濾過された処理水が排出される中空の回転軸管と、回転軸管に連設され回転軸管及びフィルタを回転させる駆動部と、回転軸管に接続された吸引ポンプと、フィルタの濾布表面に付着した懸濁物質を剥離させる剥離機構と、濾過槽の処理水が貯水される清水槽と、を有することを特徴とする道路カッター用排水処理装置。」が開示されている。
同じく（特許文献４）には、「懸濁排水が貯留される濾過槽と、濾過槽内に配置され外部表面側から濾過された懸濁排水の濾過水が内部裏面側から排出される全体が袋状に形成された円板状のフィルタと、フィルタの中心に挿通固定されフィルタで濾過された濾過水が排出される中空の回転軸管と、回転軸管を回転させる回転軸管駆動部と、回転軸管に接続され懸濁排水を吸引しフィルタで濾過された濾過水を道路カッター等のワークに供給する吸引ポンプと、フィルタの濾布表面に付着した懸濁物質を剥離させる剥離機構と、剥離機構により剥離された懸濁物質を外部に排出する懸濁物質排出機構と、を有することを特徴とする懸濁水処理装置。」が開示されている。
【特許文献１】特開２００２−２１９４７１号公報
【特許文献２】特公昭６１−５３０９６号公報
【特許文献３】特開２００５−１２５３２３号公報
【特許文献４】特開２００５−２７０８０８号公報
【考案の開示】
【考案が解決しようとする課題】
【０００５】
（特許文献３）の道路カッター用排水処理装置は、道路工事用車両等に容易に搭載でき、各種土木建設工事現場等における機動性と利便性、排水処理性に優れ、環境を汚染することなく効率的に道路カッターで使用後の排水を工事現場で浄化して再使用でき、水の補給施設のない現場でも工事でき、廃棄物が少なく利便性に優れるものであったが、剥離機構で剥離させた懸濁物質を回収する手段を備えておらず、剥離機構のメンテナンス性に欠けるという課題を有していた。
また、フィルタで脱水できない大きな粒子が濾過槽に沈殿することにより、濾過槽底部の排出口の詰まりが発生することがあり、メンテナンス性に欠けるという課題を有していた。
【０００６】
（特許文献４）の懸濁水処理装置は、道路カッター等のワークから吸引された懸濁排水から効率よく濾過水を濾別し循環すると共に、同伴される懸濁物質を環境を汚染することなく脱水し、廃棄処理が容易な塊状の形態で容易に分離でき、信頼性、経済性、作業性に優れるものであったが、（特許文献３）と同様に、フィルタで脱水できない大きな粒子が濾過槽に沈殿することにより、濾過槽底部の排出口の詰まりが発生することがあり、メンテナンス性に欠けるという課題を有していた。
【０００７】
本考案は上記課題を解決するためになされたものであり、濾過槽での濾過を行う前に、予備濾過によってコンクリート片や小石、土砂等の大きな粒子を取り除くことができ、濾過槽のフィルタで脱水できない大きな粒子が濾過槽に沈殿することを防止でき、メンテナンス性に優れると共に、濾過槽に沈殿した土砂などを汲み取って脱水濾過を行い、大幅に水分量を減らした懸濁物質を確実に回収することができ、脱水効果に優れ、濾過水の再利用率が高く、省資源性、環境保護性に優れた懸濁排水処理装置を提供することを目的とする。
【課題を解決するための手段】
【０００８】
上記課題を解決するために本考案の懸濁排水処理装置は、以下の構成を有している。
請求項１に記載の懸濁排水処理装置は、回収した懸濁排水を濾過槽で濾過し、懸濁物質を脱水分離して、濾過水をワークに循環させる懸濁排水処理装置であって、前記濾過槽内の上部に配設されメッシュ状の濾過ベルトで前記懸濁排水の予備濾過を行うスクリーンコンベアと、前記スクリーンコンベアの下流側の端部で前記濾過ベルトに当接して配設され前記濾過ベルトの表面に付着した前記懸濁物質の掻き落としを行う掻き落とし機構と、前記掻き落とし機構の下方に配設され前記掻き落とし機構により掻き落とされた前記懸濁物質を回収するシュートと、を備えた構成を有している。
この構成により、以下のような作用を有する。
（１）ワークから回収された懸濁排水の予備濾過を行うスクリーンコンベアを有することにより、濾過槽での濾過を行う前に、予備濾過によってアスファルト片やコンクリート片、小石、土砂等の大きな粒子を取り除くことができ、濾過槽内のフィルタで脱水できない大きな粒子が濾過槽に沈殿、堆積することを防止でき、メンテナンス性に優れる
（２）スクリーンコンベアが濾過槽内の上部に配設されていることにより、スクリーンコンベアで濾過された予備濾過水を下方の濾過槽に確実に供給することができ、さらに粒径の小さな粒子を脱水分離し、その濾過水をワークに循環させて再利用することができ、省資源性、環境保護性に優れる。
（３）スクリーンコンベアの下流側の端部で濾過ベルトに当接して配設され濾過ベルトの表面に付着した懸濁物質の掻き落としを行う掻き落とし機構を有することにより、濾過ベルトの表面に付着した懸濁物質を確実に掻き落とすことができ、濾過ベルトの表面に懸濁物質が堆積することがなく、濾過ベルトの目詰まりが発生し難く、長時間連続運転を行うことができ、使用性、メンテナンス性に優れる。
（４）往路側の濾過ベルトで濾過された予備濾過水が濾過槽に落下する前に復路側の濾過ベルトを通過することによって、掻き落とし機構で除去できずに濾過ベルトの表面に付着した懸濁物質を下の濾過槽に洗い流すことができるので、別途、濾過ベルトを洗浄するための洗浄機構を設ける必要がなく、部品点数を低減することができ、メンテナンス性、省スペース性に優れると共に、予備濾過水を有効利用することができ、水道水がない場所でも使用することができ、省資源性、汎用性に優れる。
（５）掻き落とし機構の下方に配設され掻き落とし機構により掻き落とされたケーキを回収するシュートを有することにより、掻き落とされた懸濁物質を確実に回収することができ、懸濁物質が濾過槽内に落下するのを防止でき、懸濁物質回収の信頼性に優れる。
【０００９】
ここで、濾過槽は、ＦＲＰ等のプラスチック製やステンレス等の金属製などの素材で形成された箱型容器である。装置の枠組や底板部もＦＲＰ等のプラスチック製やステンレス等の金属製などの素材で形成される。
濾過槽の底部には濃縮された濁水や汚泥を排出する固形分排出管を有する固形分貯溜部が形成されている。これにより、作業終了後に、十分除去できずに固形分貯溜部に溜まった土砂や汚泥があれば、それを取出して廃棄や各種処理を行うことができる。
尚、懸濁排水（ワーク水）は工事車両などに搭載されたポンプ等を介して、濾過槽の上方の開口部や懸濁排水供給管等からスクリーンコンベア上へ供給される。
尚、懸濁排水処理装置は事業場等に設置しワークにより工事現場で回収された懸濁排水を処理したり、トラック等の車両に搭載して工事現場に移設し直接懸濁排水を処理したりできる。
【００１０】
メッシュ状に形成されたスクリーンコンベアの濾過ベルトは、駆動ロールと従動ロールの間に巻回され、モータで回転駆動される。スクリーンコンベアは、下流側が上流側よりも高くなるように傾斜させて設置することが好ましい。スクリーンコンベアで濾過された予備濾過水を確実に濾過槽内に落下させることができるためである。
また、スクリーンコンベアの下流端部側は濾過槽外に突出するように配置することが好ましい。掻き落とし機構で掻き落とされた懸濁物質を濾過槽外に配設されたシュートで簡便かつ確実に回収することができるためである。
尚、スクリーンコンベアを濾過槽に配設した支持フレーム上に載置するなどして、濾過槽に対して着脱自在にすることにより、スクリーンコンベアを取り外して洗浄することができ、メンテナンス性に優れる。
【００１１】
スクリーンコンベアの濾過ベルトの孔径は、懸濁排水に含まれる懸濁物質の種類によっても異なるが、０．１ｍｍ〜２ｍｍが好ましい。濾過ベルトの孔径が０．１ｍｍより小さくなるにつれ、懸濁排水に含まれる懸濁物質による目詰まりが発生し易くなる傾向があり、２ｍｍより大きくなるにつれ、スクリーンコンベアによる予備濾過の効果が不十分となり、濾過槽内のフィルタで脱水できない大きな粒子が濾過槽に沈殿し易くなる傾向があり、いずれも好ましくない。尚、濾過ベルトは合成樹脂製でも金属製でもよい。
【００１２】
掻き落とし機構としては、ゴム製等の板状のスクレーパやブラシが好適に用いられる。特に、スクレーパをスクリーンコンベアの下流先端側に配置し、ブラシをスクリーンコンベアの復路側のスクレーパよりも上流側に配置した場合、スクレーパで剥離できなかった懸濁物質をブラシで掻き落とすことができ、スクリーンコンベアの目詰まり防止の信頼性に優れる。
シュートの出口に土嚢袋などの回収袋や回収容器を配設することにより、回収したコンクリート片や土砂等を容易に取り出して運搬することができ、懸濁物質の搬出作業性に優れる。
【００１３】
濾過槽に浄水槽を連設した場合、濾過槽で濾過した濾過水を容易に貯水することができる。また、予め浄水槽に貯水して現場に移動することにより、外部から水を補給することなく、道路カッターなどのワークの冷却水などとして繰り返し利用することができるので、道路カッターによる切断作業等を長時間連続的に行うことができ作業性に優れる。特に、水源のない高速道路等の作業現場では極めて有用で施工性に優れる。
尚、浄水槽は濾過槽と同様の素材で形成することができる。
【００１４】
請求項２に記載の考案は、請求項１に記載の懸濁排水処理装置であって、前記スクリーンコンベアの上流側の両側部に配設された案内ブラシを備えた構成を有している。
この構成により、請求項１の作用に加え、以下の作用を有する。
（１）スクリーンコンベアの上流側の両側部に配設された案内ブラシを有することにより、スクリーンコンベア上に供給される懸濁排水に含まれるコンクリート片や小石、土砂等をスクリーンコンベアの幅方向の中央側に寄せ集めることができ、コンクリート片や小石、土砂等がスクリーンコンベアの側部から濾過槽内に落下するのを防止でき、予備濾過の信頼性に優れる。
【００１５】
ここで、案内ブラシはスクリーンコンベアと平行に配置してもよいし、コンクリート片や小石、土砂等をスクリーンコンベアの幅方向の中央側に寄せるように長手方向に傾斜させて配置してもよい。また、スクリーンコンベアの両側部に加え、上流側の端部にも案内ブラシを配設し、全体が略コ字型となるようにしてもよい。これにより、供給される懸濁排水の流れが案内ブラシで堰き止められ、スクリーンコンベアの上流側の端部から直接、濾過槽内に流れ込むことがなく、確実にスクリーンコンベアでの予備濾過を行うことができ、濾過の効率性に優れる。特に、スクリーンコンベアの下流側が上流側よりも高くなるように傾斜して設置されている場合の濾過の信頼性に優れる。
【００１６】
請求項３に記載の考案は、請求項１又は２に記載の懸濁排水処理装置であって、前記濾過槽内の底部に横設されたスクリューコンベアと、前記スクリューコンベアの下流側の前記濾過槽の側部に形成された沈殿物排出孔と、を備えた構成を有している。
この構成により、請求項１又は２の作用に加え、以下の作用を有する。
（１）濾過槽内の底部に横設されたスクリューコンベアを有することにより、濾過槽内の底部に沈殿した沈殿物をスクリューコンベアで攪拌して固化を防止できると共に、沈殿物をスクリューコンベアの下流側に集めることができ、作業終了時に沈殿物の回収を短時間で行うことができ、メンテナンス性に優れる。
（２）スクリューコンベアの下流側の濾過槽の側部に形成された沈殿物排出孔を有することにより、作業終了後に沈殿物排出孔を開放するだけで、スクリューコンベアによって集められた沈殿物を容易に回収することができ、取り扱い性に優れる。
【００１７】
ここで、スクリューコンベアは濾過槽の一方の側部から他方の側部にかけて横設される。濾過槽の底部をスクリューコンベアに向かって傾斜させて形成することにより、濾過槽内に沈殿した沈殿物が自然にスクリューコンベアに向かって移動し、さらにスクリューコンベアによって、その上流側から下流側へ移送され、一箇所に集められるので、沈殿物回収の信頼性に優れる。
尚、スクリューコンベアの下部に、断面が略円弧状のガイドプレートを配設した場合、スクリューコンベアの近傍に集まった沈殿物を漏れなく確実にスクリューコンベアで移送することができ、沈殿物回収の効率性に優れる。
【００１８】
請求項４に記載の考案は、請求項１乃至３の内いずれか１項に記載の懸濁排水処理装置であって、前記濾過槽内の上下方向に配設された無限軌道と前記無限軌道に配設され前記濾過槽内の底部に溜まった沈殿物を汲み取るバケットとを備えたバケットコンベアと、前記バケットで汲み取った前記沈殿物を前記濾過槽の上方で受け止めて回収する沈殿物回収部と、を備えた構成を有している。
この構成により、請求項１乃至３の内いずれか１項の作用に加え、以下の作用を有する。
（１）濾過槽内の上下方向に配設された無限軌道と無限軌道に配設され濾過槽内の底部に溜まった小石や土砂等の沈殿物を汲み取るバケットとを備えたバケットコンベアを有するので、濾過槽内の底部に溜まった沈殿物をバケットで汲み取って、濾過槽の外へ排出することができ、濾過槽内で沈殿物が凝集固化することがなく、濾過槽の側部に形成された沈殿物排出孔などの詰まりを確実に防止することができ、長時間連続して濾過作業を行うことができ、メンテナンスフリーで取り扱い性に優れる。
（２）バケットで汲み取った沈殿物を濾過槽の上方で受け止めて回収する沈殿物回収部を有するので、バケットで汲み取った沈殿物を沈殿物回収部で確実に回収して処理することができ、濾過作業終了時に沈殿物の回収作業が不要で、メンテナンス性、取り扱い性に優れる。
【００１９】
ここで、無限軌道はベルト状でもチェーン状でもよいが、チェーン状の方が濾過槽内で抵抗を受け難く動作安定性に優れる。
また、バケットの数や配置間隔は、適宜、選択することができる。尚、バケットの底部や側部に複数の微小孔を設けた場合、沈殿物回収部に沈殿物を排出する前に、沈殿物に含まれる水分量を減らすことができ、沈殿物回収の効率性に優れる。
沈殿物回収部は、受け止めた沈殿物を前述のシュートによって案内される回収袋や回収容器に直接、回収するようにしてもよいし、前述のスクリーンコンベア上に排出するようにしてもよい。沈殿物回収部をスクリーンコンベア上に排出することにより、沈殿物をスクリーンコンベアで脱水、濾過して水分を取り除くことができ、濾過水の回収効率を向上させることができ、省資源性に優れる。
尚、バケットの底部に排水用の微小孔を設けた場合、バケットで沈殿物に含まれる水分を取り除くことができ、沈殿物回収の効率性に優れる。また、バケットが濾過槽内を移動する際に水の抵抗を受け難く、バケットがスムーズに移動でき、使用性に優れる。
【００２０】
請求項５に記載の考案は、請求項４に記載の懸濁排水処理装置であって、前記沈殿物回収部の出口が前記スクリーンコンベア上に開口している構成を有している。
この構成により、請求項４の作用に加え、以下の作用を有する。
（１）沈殿物回収部の出口がスクリーンコンベア上に開口していることにより、沈殿物をスクリーンコンベアで脱水、濾過して水分を取り除くことができるので、沈殿物に含まれる水分量を減らして効率的に沈殿物を回収できると共に、濾過水の回収効率を向上させることができ、省資源性に優れる。
【００２１】
請求項６に記載の考案は、請求項４又は５に記載の懸濁排水処理装置であって、前記バケットコンベアが、前記無限軌道に前記バケットを回動自在に支持する回動支持部と、前記回動支持部に配設され前記バケットを前記無限軌道の進行方向に付勢する付勢バネと、を有し、前記沈殿物回収部の上方に前記バケットの一側部に当接して前記バケットを前記無限軌道の進行方向と逆方向に傾倒させるバケット傾倒部材が突設されている構成を有している。
この構成により、請求項４又は５の作用に加え、以下の作用を有する。
（１）バケットコンベアが、無限軌道にバケットを回動自在に支持する回動支持部を有するので、バケットが濾過槽内で回動して水の抵抗を受け難く、濾過槽内の底部に溜まった沈殿物を確実に汲み取ることができ、沈殿物回収の信頼性に優れる。
（２）バケットコンベアが回動支持部に配設されバケットを無限軌道の進行方向に付勢する付勢バネを有し、沈殿物回収部の上方にバケットの一側部に当接してバケットを無限軌道の進行方向と逆方向に傾倒させるバケット傾倒部材が突設されているので、沈殿物の入ったバケットを沈殿物回収部の上方で、一旦、無限軌道の進行方向と逆方向に傾倒させてから、無限軌道の進行方向に回動復帰させることができ、その反動によって、バケット内の沈殿物を確実に沈殿物回収部へ排出することができ、沈殿物回収の効率性に優れる。
（３）回動支持部にバケットを無限軌道の進行方向に付勢する付勢バネが配設されているので、バケットの姿勢を安定させて保持することができ、沈殿物の汲み取り及び排出動作の安定性に優れる。
【００２２】
ここで、バケットの回動方向は水平方向でも垂直方向でもよい。
バケット傾倒部材は、バケットの縁などに引っ掛かるだけの高さがあればよいが、ピン状の突起が好適に用いられる。
【００２３】
請求項７に記載の考案は、請求項１乃至６の内いずれか１項に記載の懸濁排水処理装置であって、前記濾過槽内に配置され前記懸濁排水がその外部表面側から供給されて濾過された前記濾過水が内部裏面側から排出される全体が袋状に形成された円板状のフィルタと、前記フィルタの中心に挿通固定され前記フィルタで濾過された濾過水が排出される中空の回転軸管と、前記回転軸管に接続され前記懸濁排水を吸引し前記フィルタで濾過された濾過水を前記ワークに供給する吸引ポンプと、前記フィルタの外表面に付着した前記懸濁物質を剥離させる剥離機構と、前記懸濁排水の水面上の空間に開口した上部開口部を有し前記剥離機構の直下に配設された剥離懸濁物質回収シュートと、を備えた構成を有している。
この構成により、請求項１乃至６の内いずれか１項の作用に加え、以下の作用を有する。
（１）フィルタが円板状に形成され、懸濁排水がフィルタの外部表面側から内部裏面側に流れるので、このフィルタの外側部分に付着したケーキ（懸濁物質等の固形分）の除去を剥離機構で容易に行うことができる。
（２）フィルタの外表面に付着したケーキを剥離させる剥離機構を有することで、フィルタに固着したケーキ（懸濁物質等の固形分）を除去して濾過条件を略一定に維持させることができるので、濾過効率の向上が図られ、懸濁排水を大量に処理することが可能になる。
（３）フィルタの両面で濾過できるので、濾過面積が倍になりコンパクトで濾過性能に優れ、濾過槽内のスペースが狭い場合でもそのフィルタ面を有効に利用して、効率的に懸濁排水を処理できる。
（４）懸濁排水中で濾過し、空気中で脱水しながら濾別された懸濁物（固形物）を剥離することができる。
（５）全体が袋状に密閉して形成されたフィルタ内に濾過水を排出する中空の回転軸管が挿通されているので、フィルタの設置スペースや濾過槽をコンパクトにすることができる。
（６）回転軸管に接続された吸引ポンプで濾過水を吸引して濾過を行うことができるので、急速濾過が可能で接続されるワークへ十分な水を供給することが可能で、更に、フィルタや濾過槽をコンパクトにすることができる。
（７）懸濁排水の水面上の空間に開口した上部開口部を有し剥離機構の直下に配設された剥離懸濁物質回収シュートを有することにより、濾過処理中に剥離機構により剥離されたケーキを確実に濾過槽の外部に排出して回収することができ、廃棄処理が容易な塊状の懸濁物質を効率的かつ連続的に懸濁排水から分離できる。
【００２４】
ここで、フィルタとしては、所定の網目間隔、例えば０．００１〜１ｍｍの網目間隔を有する織物や不織物からなる袋状のものが好適に用いられる。また、フィルタは互いに所定間隔、例えば５０〜２５０ｍｍ、好ましくは１００ｍｍ〜２００ｍｍの間隔をおいて多数平行に配置される。フィルタの間隔が５０ｍｍより狭くなるにつれ、フィルタ間に剥離機構及び剥離懸濁物質回収シュートを配設することが困難になる傾向があり、１００ｍｍより広くなるにつれ、濾過槽が大きくなりコンパクト性に欠ける傾向がある。特に５０ｍｍより狭くなるか、２５０ｍｍより広くなるとこれらの傾向が著しくなって好ましくない。
この袋状のフィルタは、内部にフィルタの内部空間を保持するための塩化ビニル製パイプなどで組まれた枠体や網目状のシートを内蔵させた平板状のもの等が芯材として用いられ、中心部にフィルタの内外に連通する通水部が形成された中空の回転軸管が固定され形成される。
このフィルタを構成する濾布の素材としては、合成繊維や天然繊維からなる織布又は不織布が適用できる。合成繊維には通常、太さが０．１〜２０μｍ程度のポリアミド、ポリエステル、ポリオレフィン、ポリビニルアルコール系、ポリアクリロニトリル、酢酸ビニルなどのものが使用できる。なお、繊維の各交点の所定個所を加熱により融着したり接着剤を用いて接着したりして固定し、全体を補強すると共に、懸濁排水中の固体粒子の大きさに応じてその捕捉率を調整するようにしてもよい。
【００２５】
濾布の表面は、シリコーン、ウレタン、四フッ化エチレン、アクリル等の合成樹脂の微粒子を集合させて粒子間に流路を形成したスクラム構造により被覆してもよい。これにより、合成樹脂の微粒子が敷き詰められて形成された表面部で懸濁排水中の粒子を確実に捕捉して、内部への侵入を阻止でき、目詰まりを効果的に防止することができる。特に四フッ化エチレン（商品名：テフロン（登録商標））を用いた場合には、懸濁排水中の固形分に対する付着性が少なく、耐目詰まり性に優れている。尚、スクラム構造は、ポリウレタン樹脂等の溶剤中に分散させた合成樹脂の粒径０．００１ｍｍ〜２ｍｍの微粒子を濾布上に吹き付け接着固定させることにより微粒子同士が網目状に接合した層を形成させたり、繊維質のものに微粒子を混合攪拌して分散させ、繊維質又は微粒子を部分的に融着させたりすることで形成できる。
また、濾布の代りに多孔質圧縮成形プラスチック、多孔質セラミックなどを使用することもできる。これにより、表面に懸濁物質が付着し難く、かつ付着したケーキの除去が容易でメンテナンス性に優れると共に、剥離機構による摩耗が発生し難くなって長寿命性に優れる。
【００２６】
フィルタの内部に円板状の濾過基材と濾過基材の両側に配設された網状体を有する場合は、周囲の懸濁排水の流速や処理量が変化しても、網状体の弾性と適度な剛性により、可撓性の濾布を所定の形状に維持することができ、濾過水が通るフィルタ内の空間部を確保することができるので、処理条件を略一定に保つことができる。また、懸濁排水中の固形分等が濾布の表面に付着しても、取水効率を下げることなくフィルタ内の空間部の形状を維持させることができ、濾過効率の低下を抑制することができる。さらに、フィルタ内の空間部を通過した濾過水を回転軸管に向かって流すことができ、フィルタの全面積を有効に活用して濾過脱水処理能力を向上させることができる。
円板状の濾過基材は、発泡ポリスチレン（商品名：スタイロフォーム（登録商標））や塩化ビニルなどの合成樹脂板やステンレスなどの金属板等で形成される。
剛性を有する円板状の濾過基材は、可撓性の濾布を所定形状に維持させるための芯材として、また、回転軸管への取付け部としても機能させることができ、網状体や濾布の取り付け、交換作業に際してもその取り扱い性に優れ、濾布の周囲を縫製したり、接着したりすることで容易かつ安価にフィルタを製造でき、経済性に優れる。
網状体が三次元網目構造を有している場合、フィルタ内の濾過水の流れを妨げることがなく濾過後の濾過水の排出性に優れる。網状体としてはプラスチック製のネットや径が１００〜１５００μｍの合成繊維を絡ませて板状に形成したもの等が好適に用いられる。これにより、軽量で生産性に優れ、錆が発生することもないので寿命が長く、メンテナンス性に優れると共に、適度な弾性と剛性により、吸引時においてもフィルタ内の空間部を確保でき、濾過処理能力を維持することができる。
【００２７】
回転軸管に網状体で形成された空間部と連通した取水孔を備えることで、円板状に形成された濾布内から満遍なく均一に浄化された濾過水を取得でき、また、逆に圧縮空気や浄水等を取水孔から逆に流すこと（逆洗）により濾布への微小固形分の付着による目詰まりを防止でき、効率的に懸濁排水の濾過処理を行うことができる。
回転軸管のフィルタ配設部の円周方向に穿設される取水孔は、その孔径が１〜１０ｍｍ程度であり、回転軸管の中空部に連通してその所定個所に多数配置され、網状体で形成された空間部から満遍なく濾過水を抜き取ることができるように配置されている。
取水孔の孔径が１ｍｍより小さくなるにつれ、吸引ポンプにより吸引できる濾過水の流量が不足して好ましくない。孔径が大きくなるにつれ処理量は増加するが、１０ｍｍより大きくなるにつれ回転軸管の材質や径にもよるが機械的強度が低下する傾向があるので好ましくない。
回転軸管は複数のフィルタの中心を貫通して配置され、各フィルタの内部と連通した取水孔を介して通水部に取り込まれた濾過水を外部にまとめて排出させる機能を有している。
【００２８】
剥離機構にはブラシ、板状のスクレーパ、線状部材等を使用することができる。
濾過槽の下部に剥離懸濁物質回収シュートの出口に対応させて剥離懸濁物質貯槽を配設することにより、懸濁物質を容易に搬出することができる。特に、剥離懸濁物質貯槽に、引き出し可能な箱、麻袋、プラスチック製のバッグ等を配置することにより、溜まった塊状の懸濁物質を容易に外部に搬出し、廃棄処理できる。
【００２９】
フィルタ、回転軸管、回転軸管駆動モーター、剥離機構、を有する濾過部を濾過槽に対して着脱自在に保持するフレームを備えることにより、濾過部をフレームで一体的に取り扱うことができ、容易に濾過槽から取出して清掃や交換等のメンテナンスを行うことができる。
濾過槽内の底部にフレームを支持する支持板を配設するか、フレームに脚部を形成することにより、濾過部を濾過槽内に保持することができる。尚、回転軸管と濾過された濾過水を排出する排水管との間をカップリング等で接続することにより、容易に着脱でき、フレームを濾過槽から取出すことができる。特に、軟質で可撓性を有する排水管を長めに配設しておくことで、濾過槽の外にフレームと一緒に排水管を引き出して回転軸管から容易に着脱することができ作業性に優れる。
【００３０】
請求項８に記載の考案は、請求項７に記載の懸濁排水処理装置であって、前記剥離機構が、前記フィルタの外表面に近接して配設された長尺板状のスクレーパと、前記スクレーパを保持するスクレーパ保持部と、前記スクレーパ保持部の基部に配設された振動発生部と、を備えた構成を有している。
この構成により、請求項７の作用に加え、以下の作用を有する。
（１）剥離機構が、フィルタの外表面に近接して配設された長尺板状のスクレーパを有することにより、駆動部によりフィルタを回転させるだけで、フィルタの外表面に付着したケーキを剥離させることができるので、濾過処理中でもフィルタ表面を清掃して濾過の処理能力を略一定に保つことができる。
（２）スクレーパを保持するスクレーパ保持部を有することにより、複数のスクレーパをスクレーパ保持部で一体的に取り扱うことができ、着脱作業が容易で、メンテナンス性、組み立て作業性に優れる。
（３）スクレーパ保持部の基部に配設された振動発生部を有することにより、振動発生部で発生した振動をスクレーパ保持部を介して複数のスクレーパに同時に伝達させることができ、スクレーパやフィルタの外表面に付着したケーキ（懸濁物質）を振動によって落下させることができ、長時間連続して濾過作業を行うことができ、メンテナンスフリーで取り扱い性に優れる。
【００３１】
ここで、長尺板状のスクレーパは、フィルタの外表面に近接するエッジが鋭角又は円弧状の断面を有するものが好適に用いられる。エッジが鋭角な場合、フィルタの外表面に付着したケーキを確実に剥離することができ、目詰まりを防止することができ、メンテナンス性に優れる。また、エッジが円弧状の断面を有する場合、エッジがフィルタの外表面に当接した場合でも、フィルタの濾布を傷つける恐れが少なく、濾布の消耗を低減することができ、長寿命性に優れる。
スクレーパ保持部には、フィルタの表裏両面に対向して配置されたスクレーパの間隔をばね等により調整する剥離機構保持手段を配設することができる。これにより、懸濁排水の濃度や粘度等に応じてスクレーパの間隔を容易に調整することができ、ケーキの剥離を効率的に行なうことができる。
【００３２】
スクレーパはフィルタの回転方向に対して直交するようにフィルタの中心側から外周に向かって半径方向に配設されるのが好ましい。これにより、スクレーパ全体を円形のフィルタに対して常に安定した状態で保持することができ、フィルタの濾布表面に付着した懸濁物質を満遍なく掻き取ることができる。
スクレーパのエッジは斜め上方に向けてフィルタの外表面の濾布に近接させる配置が掻き取り効率の面から望ましい
スクレーパ保持部は、前述のフレーム等に配設することができる。これにより、フレームと一体で取り扱うことができ、容易に濾過槽の外部に取出すことができるのでメンテナンス時の作業性に優れる。
【考案の効果】
【００３３】
請求項１に記載の考案によれば、以下のような効果を有する。
（１）スクリーンコンベアが濾過槽内の上部に配設されていることにより、スクリーンコンベアで濾過された予備濾過水を下方の濾過槽に確実に供給することができ、さらに粒径の小さな粒子を脱水分離し、その濾過水をワークに循環させて有効に再利用することができる省資源性、環境保護性に優れた懸濁排水処理装置を提供することができる。
（２）往路側の濾過ベルトで濾過された予備濾過水が復路側の濾過ベルトを通過することによって、掻き落とし機構で除去できずに濾過ベルトの表面に付着した懸濁物質を下の濾過槽に洗い流すことができ、別途、濾過ベルトを洗浄するための洗浄機構を設ける必要がなく、部品点数を低減することができ、メンテナンス性、省スペース性に優れると共に、予備濾過水を有効利用することができ、水道水がない場所でも使用することができる省資源性、汎用性に優れた懸濁排水処理装置を提供することができる。
【００３４】
請求項２に記載の考案によれば、請求項１の効果に加え、以下のような効果を有する。
（１）スクリーンコンベアの上流側の両側部に配設された案内ブラシにより、懸濁排水に含まれるコンクリート片や小石、土砂等がスクリーンコンベアの側部から濾過槽内に落下することを防止できる予備濾過の信頼性、効率性に優れた懸濁排水処理装置を提供することができる。
【００３５】
請求項３に記載の考案によれば、請求項１又は２の効果に加え、以下のような効果を有する。
（１）濾過槽内の底部に沈殿した沈殿物をスクリューコンベアで攪拌して固化を防止できると共に、沈殿物をスクリューコンベアの下流側に集めることができ、作業終了後に、沈殿物排出孔などから短時間で沈殿物の回収を行うことができるメンテナンス性に優れた懸濁排水処理装置を提供することができる。
【００３６】
請求項４に記載の考案によれば、請求項１乃至３の内いずれか１項の効果に加え、以下のような効果を有する。
（１）濾過作業中に、濾過槽内の底部に溜まった小石や土砂等の沈殿物をバケットで汲み取り、沈殿物回収部で回収することができ、濾過槽内で沈殿物が固化することがなく、濾過槽の沈殿物排出孔などの詰まりを確実に防止することができ、長時間連続して濾過作業を行うことができるメンテナンスが不要で取り扱い性に優れた懸濁排水処理装置を提供することができる。
【００３７】
請求項５に記載の考案によれば、請求項４の効果に加え、以下のような効果を有する。
（１）バケットで汲み取った沈殿物を沈殿物回収部からスクリーンコンベア上に排出することにより、沈殿物をスクリーンコンベアで脱水、濾過して水分を取り除くことができ、沈殿物及び濾過水の回収効率を向上させることができる省資源性に優れた懸濁排水処理装置を提供することができる。
【００３８】
請求項６に記載の考案によれば、請求項４又は５の効果に加え、以下のような効果を有する。
（１）沈殿物の入ったバケットを沈殿物回収部の上方で、一旦、無限軌道の進行方向と逆方向に傾倒させてから、無限軌道の進行方向に回動復帰させることにより、その反動を利用して、バケット内の沈殿物を確実に沈殿物回収部へ排出することができる沈殿物回収の効率性、確実性に優れた懸濁排水処理装置を提供することができる。
【００３９】
請求項７に記載の考案によれば、請求項１乃至６の内いずれか１項の効果に加え、以下のような効果を有する。
（１）濾過作業中に、フィルタの外表面に付着したケーキを剥離機構で剥離することができるので、フィルタの外表面に固着したケーキ（懸濁物質等の固形分）を除去して濾過条件を略一定に維持させることができ、懸濁排水を大量に処理することができる濾過の効率性に優れた懸濁排水処理装置を提供することができる。
（２）フィルタにより、懸濁排水中で濾過され、空気中で脱水されて濾別された懸濁物（固形物）を、剥離機構で確実に剥離することができ、剥離された懸濁物質を剥離懸濁物質回収シュートによって濾過槽の外部に排出して回収することができる懸濁物質回収の効率性、省力性に優れた懸濁排水処理装置を提供することができる。
【００４０】
請求項８に記載の考案によれば、請求項７の効果に加え、以下のような効果を有する。
（１）スクレーパを保持するスクレーパ保持部を振動発生部で振動させることにより、スクレーパやフィルタの外表面に付着したケーキを確実に落下させることができ、懸濁物質の堆積を防止して、長時間連続して濾過作業を行うことができ、メンテナンスが不要で取り扱い性に優れた懸濁排水処理装置を提供することができる。
【考案を実施するための最良の形態】
【００４１】
以下、本考案の実施の形態１における懸濁排水処理装置について、以下図面を参照しながら説明する。
（実施の形態１）
【００４２】
図１は実施の形態１の懸濁排水処理装置の全体斜視図であり、図２は実施の形態１の懸濁排水処理装置の平面図であり、図３は図２におけるＡ−Ａ線断面模式図であり、図４は図２におけるＢ−Ｂ線断面模式図であり、図５は図２におけるＣ−Ｃ線断面模式図であり、図６は図２におけるＤ−Ｄ線断面模式図である。
図１において、１はＦＲＰ等のプラスチックやステンレス等の金属でそれぞれ箱型に形成された濾過槽２と浄水槽３が連設された懸濁排水処理装置、１ａは濾過槽２の上部に配設され道路カッターなどのワークから回収された懸濁排水が供給される懸濁排水供給管、１ｃは吸引ポンプ４と浄水槽３の間に接続され濾過槽２から排出された濾過水を浄水槽３へ供給する軟質の供給管、１ｄは浄水槽３の底部に配設され浄水槽３内に貯水された濾過水を再度ワークに供給する濾過水排出管、１ｅは濾過水排出管１ｄに設けられた濾過水排出用バルブ、２ａは濾過槽２の底部に形成され濃縮された土砂や汚泥などの固形分が沈澱して貯溜される固形分貯溜部、２ｂは固形分貯溜部２ａに貯溜された固形分を排出するための固形分排出管、２ｃは固形分排出管２ｂに設けられた固形分排出用バルブ、２ｄはフィルタ１７の中心位置とほぼ等しい高さに配設されフィルタ１７の中心位置より懸濁排水の水位が上昇しないようにするオーバーフロー排液管、２ｅは濾過槽２の四隅の下部に配設され懸濁排水処理装置１を自立させる脚部、２ｆは隣接する脚部２ｅ同士を接続する脚部補強部、５は一端（上流）側が懸濁排水供給管１ａの下方に配置され他端（下流）側が濾過槽２の側壁上部から突出するように濾過槽２内の上部に配設され懸濁排水の予備濾過を行うスクリーンコンベア、１５は直方体状の枠体に形成されたフレーム１５ａに固定され濾過槽２内に着脱自在に沈設された濾過部である。
【００４３】
濾過槽２の固形分貯溜部２ａは対向する二面を水平面に対して約５〜４５度の角度にＶ字状に両傾斜させて形成し、この傾斜部の最下部に連設して、固形分排出用バルブ２ｃを有した固形分排出管２ｂを配置した。この固形分排出用バルブ２ｃを開くことによって、固形分貯溜部２ａに沈澱堆積した微細な土砂などの固形分を固形分排出管２ｂから排出する。
【００４４】
次に、スクリーンコンベアの詳細について、図２，図３を用いて説明する。
図２及び図３において、１ｂは後述する濾過部１５の回転軸管１６に接続され濾過槽２で濾過された濾過水が吸引ポンプ４により吸引され排出される排水管、２ｇは濾過槽２の上面に着脱自在に配設される濾過槽カバー（図３参照）、５ａはスクリーンコンベア５の両側に配設され後述する駆動ロール６ａと従動ロール６ｂを回動自在に保持する側板、６は一方の側板５ａに配設されスクリーンコンベア５を駆動するスクリーンコンベア駆動モーター、６ａはスクリーンコンベア駆動モーター６によって回転するスクリーンコンベア５の駆動ロール、６ｂはスクリーンコンベア５の従動ロール、７はメッシュ状に形成され駆動ロール６ａと従動ロール６ｂの間に巻回されたスクリーンコンベア５の濾過ベルト、８はスクリーンコンベア５の下流側の濾過ベルト７の端部に当接して配設され濾過ベルト７の表面に付着したケーキの掻き落としを行う懸濁排水処理装置１の掻き落とし機構、８ａはスクリーンコンベア５の下流先端側に配置された掻き落とし機構８のスクレーパ、８ｂはスクリーンコンベア５の復路側のスクレーパ８ａよりもやや上流側に配置された掻き落とし機構８のブラシ、９はスクリーンコンベア５の上流側の両側部に配置された側部案内ブラシ９ａとスクリーンコンベア５の上流側の端部に配置された端部案内ブラシ９ｂを有して全体が略コ字型となるように配設された案内ブラシ、１０は掻き落とし機構８の下方に配設され掻き落とし機構８により掻き落とされた懸濁物質を回収するシュート、１０ａはシュート１０の上部開口部、１０ｂはシュート１０の下部開口部、１１はシュート１０の下部開口部１０ｂに接続された排出管、１２は濾過槽２の下部に配設され排出管１１から排出される懸濁物質を貯留する懸濁物質回収容器である。
尚、説明の都合上、図１及び図２では濾過槽カバー２ｇを省略した。
【００４５】
次に、フィルタの詳細について、図４を用いて説明する。
図４において、３ｇは浄水槽３の上面に着脱自在に配設される浄水槽カバー、１６は濾過部１５のフレーム１５ａに回動自在に軸支された回転軸管、１６ａはフィルタ１７で濾過された濾過水を排出する回転軸管１６の通水部、１６ｂは回転軸管１６の側面に穿設されフィルタ１７の内部と連通した複数の取水孔、１６ｃは排水管１ｂとカップリング１６ｄにより着脱自在に接続され回転軸管１６の通水部１６ａから排出される濾過水を排水管１ｂへ送水する濾過水送水管、１７は中心に回転軸管１６が挿通固定された複数の円板状のフィルタ、１７ａはフィルタ１７の芯材となる塩化ビニルなどの合成樹脂やステンレスなどの金属が円板状に形成された濾過基材、１７ｂは濾過基材１７ａの両側に配設され濾過された濾過水が流れる空間部をフィルタ１７内に形成するプラスチック製のネット等の網状体、１７ｃは網状体に覆設され袋状のフィルタ１７を形成する濾布、１８はフレーム１５ａに配設されたモーター支持部１５ｂに固定され回転軸管１６及びフィルタ１７の回転速度や回転方向を制御可能な回転軸管駆動モーター、１８ａは回転軸管駆動モーター１８のモーター軸に挿設された駆動ギア、１８ｂは回転軸管１６に挿設された従動ギア、１８ｃは駆動ギア１８ａと従動ギア１８ｂの間に巻回され回転軸管駆動モーター１８の回転を回転軸管１６に伝達するベルトやチェーン等の駆動伝達部である。
尚、説明の都合上、図１及び図２では浄水槽カバー３ｇを省略した。
【００４６】
次に、剥離機構の詳細について、図５，図６を用いて説明する。
図５及び図６において、２０はフレーム１５ａに配設された剥離機構保持部１５ｃに固定されフィルタ１７の外表面に付着したケーキを剥離させる懸濁排水処理装置１の剥離機構、２１は櫛型に形成され剥離機構保持部１５ｃに固定された剥離機構２０のスクレーパ保持部、２２は略Ｌ字型に形成されスクレーパ保持部２１の櫛歯部分に２つずつ配設されたアーム部、２３はアーム部２２の端部に固定されフィルタ１７の外表面に近接して配設された長尺板状のスクレーパ、２３ａはスクレーパ２３の先端部に配設された薄板状の剥離ガイド、２４はスクレーパ保持部２１の基部に配設されスクレーパ保持部２１を振動させる剥離機構１５の振動発生部、２５は剥離機構２０の直下に配設された剥離懸濁物質回収シュート、２５ａは懸濁排水の水面上の空間に開口した剥離懸濁物質回収シュート２５の上部開口部、２５ｂは濾過槽２の外部で開口した剥離懸濁物質回収シュート２５の下部開口部、２６は濾過槽２の下部に剥離懸濁物質回収シュート２５の下部開口部２５ｂに対応して配設され剥離懸濁物質回収シュート２５から排出される懸濁物質を貯留する剥離懸濁物質貯槽である。
【００４７】
尚、本実施の形態ではスクレーパ２３のエッジを鋭角に形成したが、エッジを面取りして断面を円弧状に形成した場合、スクレーパ２３のエッジがフィルタ１７の表面に当接しても、フィルタ１７の濾布１７ｃを傷つける恐れが少なく、濾布１７ｃの消耗を低減することができる。
剥離機構２０が剥離懸濁物質回収シュート２５の上部に配設されているので、剥離された懸濁物質は剥離懸濁物質回収シュート２５の上部開口部２５ａから剥離懸濁物質回収シュート２５に入って落下し、剥離懸濁物質貯槽２６に貯められる。
【００４８】
次に、スクリューコンベアの詳細について、図３，図４，図６を用いて説明する。
図３，図４，図６において、２ｂ’は固形分貯溜部２ａの側部に形成され固形分排出管２ｂが接続された沈殿物排出孔（図４参照）、３０は濾過槽２内の底部に横設されたスクリューコンベア、３０ａはフレーム１５に配設された回転軸保持部１５ｄに回転可能に支持されたスクリューコンベア３０の回転軸、３０ｂは回転軸３０ａの周りに配設されたスクリューコンベア３０の螺旋羽根、３０ｃはフレーム１５に配設されたガイドプレート保持部１５ｅで保持されスクリューコンベア３０の下部の長手方向に配設された断面が略円弧状のガイドプレート（図６参照）、３１ａはフレーム１５ａに配設されたモーター支持部１５ｂに固定されたスクリューコンベア駆動モーター３１（図１，図２参照）によって回転する駆動ギア、３１ｂは回転軸３０ａに挿設された従動ギア、３１ｃは駆動ギア３１ａと従動ギア３１ｂの間に巻回されスクリューコンベア駆動モーター３１の回転を回転軸３０ａに伝達する駆動伝達部としてのベルトやチェーン等の無限軌道である。
尚、ガイドプレート３０ｃは必ずしも設けなくてもよい。
【００４９】
次に、バケットコンベアの詳細について、図３，図７を用いて説明する。
図７（ａ）は実施の形態１の懸濁排水処理装置のバケットコンベアの要部拡大平面図であり、図７（ｂ）は実施の形態１の懸濁排水処理装置のバケットコンベアの要部拡大側面図であり、図７（ｃ）は実施の形態１の懸濁排水処理装置のバケットコンベアの要部拡大背面図である。
図３において、３２はスクリューコンベア３０の無限軌道３１ｃに複数のバケット３２ａを配設して構成されたバケットコンベア、３２ａは無限軌道３１ｃに所定の間隔で配設され濾過槽２内の底部に溜まった沈殿物を汲み取るバケットコンベア３２のバケット、３４は後述する沈殿物回収部３５の上方でフレーム１５ａに突設されバケット３２ａの一側部に当接してバケット３２ａを無限軌道３１ｃの進行方向と逆方向に傾倒させるＬ字型のバケット傾倒部材、３５はバケットで汲み取った沈殿物を濾過槽２の上方で受け止めて回収する沈殿物回収部である。
本実施の形態では、スクリューコンベア３０の無限軌道３１ｃを利用してバケットコンベア３２を構成した。これにより、スクリューコンベア駆動モーター３１でスクリューコンベア３０を駆動すると同時にバケットコンベア３２を駆動することができるので、部品点数を減らすことができ、コンパクト性に優れる。
尚、別途、バケット３２ａが配設された無限軌道と駆動モーターを設け、スクリューコンベア３０とバケットコンベア３２を独立させてもよい。
【００５０】
図７において、３２ｂはバケット３２ａの一側部に突設された２枚の支持板、３３は無限軌道３１ｃにバケット３２ａを回動自在に支持するバケットコンベア３２の回動支持部、３３ａは無限軌道３１ｃに固設された回動支持部３３の固定板、３３ｂは固定板３３ａの一端に立設された回動支持部３３の垂直板、３３ｃは垂直板３３ｂに延設され固定板３３ａと対向配置された回動支持部３３の水平板、３３ｄは固定板３３ａと水平板３３ｃの間に配設されバケット３２ａの支持板３２ｂに挿通されてバケット３２ａを回動自在に支持する回動支持部３３の固定軸、３３ｅは固定軸３３ｄに外挿されバケット３２ａを無限軌道３１ｃの進行方向に付勢するコイルバネを用いた回動支持部３３の付勢バネである。
【００５１】
次に、バケットコンベアの動作について、図８を用いて説明する。
図８（ａ）は実施の形態１の懸濁排水処理装置のバケットコンベアにおけるバケットの傾倒状態を示す要部拡大平面図であり、図８（ｂ）は実施の形態１の懸濁排水処理装置のバケットコンベアにおけるバケットを示す要部拡大平面図である。
図７に示すように、濾過槽２内の底部に溜まった沈殿物を汲み取ったバケット３２ａが濾過槽２の上方に移動し、沈殿物回収部３５（図３参照）の手前まで来ると、図８（ａ）に示すように、バケット傾倒部材３４の先端がバケット３２ａの一側部に当接してバケット３２ａを無限軌道３１ｃの進行方向と逆方向に傾倒させる。さらに、バケット３２ａが進行方向に移動すると、バケット３２ａがバケット傾倒部材３４から開放され、バケット３２ａが付勢バネ３３ｅによって無限軌道３１ｃ（図７参照）の進行方向に付勢され、図８（ｂ）に示すように、通常状態に回動復帰する。このときのバケット３２ａの回動復帰の反動によって、バケット３２ａ内の沈殿物が前方に確実に放出され、沈殿物回収部３５（図３参照）へ回収される。回収された沈殿物は沈殿物回収部３５の経路に沿って下方へ移動し、スクリーンコンベア５上の上流側に開口した出口から排出され、再び、スクリーンコンベア５で濾過され、水分が除去されながら、懸濁物質が掻き落とし機構８で掻き落とされ、シュート１０から懸濁物質回収容器１１へ回収される。
尚、バケット３２ａの底部に排水用の微小孔を設けた場合、バケット３２ａで沈殿物に含まれる水分を取り除くことができ、沈殿物回収の効率性に優れる。また、バケット３２ａが濾過槽２内を移動する際に水の抵抗を受け難く、バケット３２ａがスムーズに移動でき、使用性に優れる。
【００５２】
次に、バケットコンベアの変形例について、図９を用いて説明する。
図９（ａ）は実施の形態１の懸濁排水処理装置のバケットコンベアの変形例を示す要部拡大平面図であり、図９（ｂ）は実施の形態１の懸濁排水処理装置のバケットコンベアの変形例を示す要部拡大側面図であり、図９（ｃ）は実施の形態１の懸濁排水処理装置のバケットコンベアの変形例を示す要部拡大背面図である。
図９において、変形例のバケットコンベア４２が実施の形態１のバケットコンベア３２と異なるのは、回動支持部４３の固定板４３ａの両側に立設された垂直板４３ｂの間に固定軸４３ｄが配設され、バケット３２ａが垂直面内で回動するように回動支持部４３に支持されている点である。
尚、変形例のバケットコンベア４２は、実施の形態１のバケットコンベア３２と回動方向が異なるだけで、動作は同じなので、説明を省略する。
【００５３】
以上のように構成された懸濁排水処理装置１を用いてワークから回収された懸濁排水を処理する方法について、図を用いて説明する。
図１において、懸濁排水供給管１ａから濾過槽２に供給された懸濁排水は、スクリーンコンベア５の上流側に落水し、往路側の濾過ベルト７で大きなゴミや粒子の大きなコンクリート片や小石、土砂等が取除かれて予備濾過される。
図３に示すように、スクリーンコンベア５上で濾別されたコンクリート片や小石、土砂等は下流側に移動し、掻き落とし機構８のスクレーパ８ａ及びブラシ８ｂで掻き落とされ、シュート１０へ落下する。落下した懸濁物質は排出管１１を通って懸濁物質回収容器１２に回収される。また、往路側の濾過ベルト７で濾過された予備濾過水は、復路側の濾過ベルト７を通過し、掻き落とし機構８で掻き落とし切れなかった懸濁物質と共に、濾過槽２内へ貯留される。
【００５４】
スクリーンコンベア５で予備濾過され懸濁排水は、濾過槽２内に貯留される。濾過槽２内に貯留された懸濁排水は、吸引ポンプ４（図１参照）で吸引されることにより、図４に示すように、濾過槽２内の濾過部１５のフィルタ１７の表面で濾過され、フィルタ１７の内部に連通する取水孔１６ｂを通り、回転軸管１６の通水部１６ａ、濾過水送水管１６ｃを通って排水管１ｂに送られ、さらに、吸引ポンプ４に接続された濾過水供給管１ｃを通って、浄水槽３に供給される。
土砂などがフィルタ１７で除去された濾過水は、浄水槽３に貯留された後、濾過水排出管１ｄからワークに供給され、ワークで発生した懸濁排水は、再度、ワークから回収されて循環する。
【００５５】
濾過槽２での濾過処理中にフィルタ１７が回転することでスクレーパ２３により、フィルタ１７の濾布１７ｃ表面に付着した固形分が掻き取られ、掻き取られたケーキは剥離懸濁物質回収シュート２５を通って、剥離懸濁物質貯槽２６に貯留される（図５参照）。
濾過処理中に振動発生部２４で剥離機構２０を振動させることにより、フィルタ１７やスクレーパ２３に付着した懸濁物質をふるい落とすことができる。このとき剥離ガイド２３ａが細かく振動し、懸濁物質を確実に剥離懸濁物質貯槽２６に落下させることができる。
【００５６】
濾過槽２の底部に沈殿した懸濁物質は、スクリューコンベア３０によってほぐされ、流動化されながら、ガイドプレート３０ｃに沿ってスクリューコンベア３０の下流側（固形分貯溜部２ａの沈殿物排出孔２ｂ’側）に移動する（図４，図６参照）。
ガイドプレート３０ｃの端部から固形分貯溜部２ａに落下して溜まった沈殿物は、バケットコンベア３２のバケット３２ａで汲み上げられ、濾過槽２の上方の沈殿物回収部３５で回収され、さらにスクリーンコンベア５で濾過される（図３参照）。
尚、固形分貯溜部２ａに蓄積されて残った土砂等は固形分排出用バルブ２ｃを開放して固形分排出管２ｂから排出できる。
【００５７】
以上のように実施の形態１における懸濁排水処理装置によれば、以下の作用を有する。
（１）懸濁排水の予備濾過を行うスクリーンコンベア５を有することにより、濾過槽２での濾過を行う前に、予備濾過によってアスファルト片やコンクリート片、小石、土砂等の大きな粒子を取り除くことができ、濾過槽２内のフィルタ１７で脱水できない大きな粒子が濾過槽２に沈殿することを防止でき、メンテナンス性に優れる
（２）スクリーンコンベア５が濾過槽２内の上部に配設されていることにより、スクリーンコンベア５で濾過された予備濾過水を下方の濾過槽２に確実に供給することができ、さらに粒径の小さな粒子を脱水分離し、その濾過水をワークに循環させて再利用することができ、省資源性、環境保護性に優れる。
（３）スクリーンコンベア５の下流側の端部で濾過ベルト７に当接して配設され濾過ベルト７の表面に付着した懸濁物質の掻き落としを行う掻き落とし機構８を有することにより、濾過ベルト７の表面に付着した懸濁物質を確実に掻き落とすことができ、濾過ベルト７の表面に懸濁物質が堆積することがなく、濾過ベルト７の目詰まりが発生し難く、長時間連続運転を行うことができ、使用性、メンテナンス性に優れる。
（４）往路側の濾過ベルト７で濾過された予備濾過水が濾過槽２に落下する前に復路側の濾過ベルト７を通過することによって、掻き落とし機構８で除去できずに濾過ベルト７の表面に付着した懸濁物質を下の濾過槽２に洗い流すことができるので、別途、濾過ベルト７を洗浄するための洗浄機構を設ける必要がなく、部品点数を低減することができ、メンテナンス性、省スペース性に優れると共に、予備濾過水を有効利用することができ、水道水がない場所でも使用することができ、省資源性、汎用性に優れる。
（５）掻き落とし機構８の下方に配設され掻き落とし機構８により掻き落とされたケーキを回収するシュート１０を有することにより、掻き落とされた懸濁物質を確実に回収することができ、懸濁物質が濾過槽２内に落下するのを防止でき、懸濁物質回収の信頼性に優れる。
（６）スクリーンコンベア５の上流側の両側部に配設された案内ブラシ９を有することにより、スクリーンコンベア５上に供給される懸濁排水に含まれる懸濁物質をスクリーンコンベア５の幅方向の中央側に寄せ集めることができ、懸濁物質がスクリーンコンベア５の側部から濾過槽２内に落下するのを防止でき、予備濾過の信頼性に優れる。
（７）濾過槽２内の底部に横設されたスクリューコンベア３０を有することにより、濾過槽２内の底部に沈殿した沈殿物をスクリューコンベア３０で攪拌して固化を防止できると共に、沈殿物をスクリューコンベア３０の下流側に集めることができ、作業終了時に沈殿物の回収を短時間で行うことができ、メンテナンス性に優れる。
（８）スクリューコンベア３０の下流側の濾過槽２の側部に形成された沈殿物排出孔２ｂ’を有することにより、作業終了後に沈殿物排出孔２ｂ’を開放するだけで、スクリューコンベア３０によって集められた沈殿物を容易に回収することができ、取り扱い性に優れる。
（９）濾過槽２内の上下方向に配設された無限軌道３１ｃと無限軌道３１ｃに配設され濾過槽２内の底部に溜まった小石や土砂等の沈殿物を汲み取るバケット３２ａとを備えたバケットコンベア３２を有するので、濾過槽２内の底部に溜まった沈殿物をバケット３２ａで汲み取って、濾過槽２の外へ排出することができ、濾過槽２内で沈殿物が固化することがなく、濾過槽２の側部に形成された沈殿物排出孔２ｂ’などの詰まりを確実に防止することができ、長時間連続して濾過作業を行うことができ、メンテナンスフリーで取り扱い性に優れる。
（１０）バケット３２ａで汲み取った沈殿物を濾過槽２の上方で受け止めて回収する沈殿物回収部３５を有するので、バケット３２ａで汲み取った沈殿物を沈殿物回収部３５で確実に回収して処理することができ、濾過作業終了時に沈殿物の回収作業が不要で、メンテナンス性、取り扱い性に優れる。
（１１）沈殿物回収部３５の出口がスクリーンコンベア５上に開口していることにより、沈殿物をスクリーンコンベア５で脱水、濾過して水分を取り除くことができるので、沈殿物に含まれる水分量を減らして効率的に沈殿物を回収できると共に、濾過水の回収効率を向上させることができ、省資源性に優れる。
（１２）バケットコンベア３２が、無限軌道３１ｃにバケット３２ａを回動自在に支持する回動支持部３３を有するので、バケット３２ａが濾過槽２内で回動して水の抵抗を受け難く、濾過槽２内の底部に溜まった沈殿物を確実に汲み取ることができ、沈殿物回収の信頼性に優れる。
（１３）バケットコンベア３２が回動支持部３３に配設されバケット３２ａを無限軌道３１ｃの進行方向に付勢する付勢バネ３３ｅを有し、沈殿物回収部３５の上方にバケット３２ａの一側部に当接してバケット３２ａを無限軌道３１あの進行方向と逆方向に傾倒させるバケット傾倒部材３４が突設されているので、沈殿物の入ったバケット３２ａを沈殿物回収部３５の上方で、一旦、無限軌道３１ｃの進行方向と逆方向に傾倒させてから、無限軌道３１ｃの進行方向に回動復帰させることができ、その反動によって、バケット３２ａ内の沈殿物を確実に沈殿物回収部３５へ排出することができ、沈殿物回収の効率性に優れる。
（１４）回動支持部３３にバケット３２ａを無限軌道３１ｃの進行方向に付勢する付勢バネ３３ｅが配設されているので、バケット３２ａの姿勢を安定させて保持することができ、沈殿物の汲み取り及び排出動作の安定性に優れる。
（１５）フィルタ１７が円板状に形成され、懸濁排水がフィルタ１７の外部表面側から内部裏面側に流れるので、このフィルタ１７の外側部分に付着したケーキ（懸濁物質等の固形分）の除去を剥離機構２０で容易に行うことができる。
（１６）フィルタ１７の外表面に付着したケーキを剥離させる剥離機構２０を有することで、フィルタ１７に固着した懸濁物質等の固形分を除去して濾過条件を略一定に維持させることができるので、濾過効率の向上が図られ、懸濁排水を大量に処理することが可能になる。
（１７）フィルタ１７の両面で濾過できるので、濾過面積が倍になりコンパクトで濾過性能に優れ、濾過槽２内のスペースが狭い場合でもそのフィルタ面を有効に利用して、効率的に懸濁排水を処理できる。
（１８）懸濁排水中で濾過し、空気中で脱水しながら濾別された懸濁物（固形物）を剥離することができる。
（１９）全体が袋状に密閉して形成されたフィルタ１７内に濾過水を排出する中空の回転軸管１６が挿通されているので、フィルタ１７の設置スペースや濾過槽２をコンパクトにすることができる。
（２０）回転軸管１６に接続された吸引ポンプ４で濾過水を吸引して濾過を行うことができるので、急速濾過が可能で接続されるワークへ十分な水を供給することが可能で、更に、フィルタ１７や濾過槽２をコンパクトにすることができる。
（２１）懸濁排水の水面上の空間に開口した上部開口部２５ａを有し剥離機構２０の直下に配設された剥離懸濁物質回収シュート２５を有することにより、濾過処理中に剥離機構２０により剥離されたケーキを確実に濾過槽２の外部に排出して回収することができ、廃棄処理が容易な塊状の懸濁物質を効率的かつ連続的に懸濁排水から分離できる。
（２２）剥離機構２０が、フィルタ１７の外表面に近接して配設された長尺板状のスクレーパ２３を有することにより、回転軸管駆動モーター１８によりフィルタ１７を回転させるだけで、フィルタ１７の外表面に付着したケーキを剥離させることができるので、濾過処理中でもフィルタ１７表面を清掃して濾過の処理能力を略一定に保つことができる。
（２３）スクレーパ２３を保持するスクレーパ保持部２１を有することにより、複数のスクレーパ２３をスクレーパ保持部２１で一体的に取り扱うことができ、着脱作業が容易で、メンテナンス性、組み立て作業性に優れる。
（２４）スクレーパ保持部２１の基部に配設された振動発生部２４を有することにより、振動発生部２４で発生した振動をスクレーパ保持部２１を介して複数のスクレーパ２３に同時に伝達させることができ、スクレーパ２３やフィルタ１７の外表面に付着した懸濁物質を振動によってこすぎ取り、落下させることができ、長時間連続して濾過作業を行うことができ、メンテナンスフリーで取り扱い性に優れる。
（２５）予め浄水槽３に貯水して現場に移動することにより、外部から水を補給することなく、道路カッターなどのワークの潤滑冷却水として繰り返し利用することができるので、道路カッターによる切断作業等を長時間連続的に行うことができ作業性に優れる。
【産業上の利用可能性】
【００５８】
本考案は、河川工事、下水工事、道路工事、トンネルやビル内の壁面等の各種土木建設工事等、例えば道路カッター等から排出される懸濁排水から環境を汚染することなく懸濁物質を容易に脱水し、廃棄処理が容易な塊状の形状で容易に分離出来、一定の濾過処理能力を維持できる高い脱水処理効率を有する懸濁排水処理装置であり、信頼性、利便性、経済性、作業性、機動性に優れる。
【図面の簡単な説明】
【００５９】
【図１】実施の形態１の懸濁排水処理装置の全体斜視図
【図２】実施の形態１の懸濁排水処理装置の平面図
【図３】図２におけるＡ−Ａ断面模式図
【図４】図２におけるＢ−Ｂ断面模式図
【図５】図２におけるＣ−Ｃ断面模式図
【図６】図２におけるＤ−Ｄ線断面模式図
【図７】（ａ）実施の形態１の懸濁排水処理装置のバケットコンベアの要部拡大平面図（ｂ）実施の形態１の懸濁排水処理装置のバケットコンベアの要部拡大側面図（ｃ）実施の形態１の懸濁排水処理装置のバケットコンベアの要部拡大背面図
【図８】（ａ）実施の形態１の懸濁排水処理装置のバケットコンベアにおけるバケットの傾倒状態を示す要部拡大平面図（ｂ）実施の形態１の懸濁排水処理装置のバケットコンベアにおけるバケットを示す要部拡大平面図
【図９】（ａ）実施の形態１の懸濁排水処理装置のバケットコンベアの変形例を示す要部拡大平面図（ｂ）実施の形態１の懸濁排水処理装置のバケットコンベアの変形例を示す要部拡大側面図（ｃ）実施の形態１の懸濁排水処理装置のバケットコンベアの変形例を示す要部拡大背面図
【符号の説明】
【００６０】
１  懸濁排水処理装置
１ａ  懸濁排水供給管
１ｂ  排水管
１ｃ  供給管
１ｄ  濾過水排出管
１ｅ  濾過水排出用バルブ
２  濾過槽
２ａ  固形分貯溜部
２ｂ  固形分排出管
２ｂ’  沈殿物排出孔
２ｃ  固形分排出用バルブ
２ｄ  オーバーフロー排液管
２ｅ  脚部
２ｆ  脚部補強部
２ｇ  濾過槽カバー
３  浄水槽
３ｇ  浄水槽カバー
４  吸引ポンプ
５  スクリーンコンベア
５ａ  側板
６  スクリーンコンベア駆動モーター
６ａ  駆動ロール
６ｂ  従動ロール
７  濾過ベルト
８  掻き落とし機構
８ａ  スクレーパ
８ｂ  ブラシ
９  案内ブラシ
９ａ  側部案内ブラシ
９ｂ  端部案内ブラシ
１０  シュート
１０ａ  上部開口部
１０ｂ  下部開口部
１１  排出管
１２  懸濁物質回収容器
１５  濾過部
１５ａ  フレーム
１５ｂ  モーター支持部
１５ｃ  剥離機構保持部
１５ｄ  回転軸保持部
１５ｅ  ガイドプレート保持部
１６  回転軸管
１６ａ  通水部
１６ｂ  取水孔
１６ｃ  濾過水送水管
１７  フィルタ
１７ａ  濾過基材
１７ｂ  網状体
１７ｃ  濾布
１８  回転軸管駆動モーター
１８ａ  駆動ギア
１８ｂ  従動ギア
１８ｃ  駆動伝達部
２０  剥離機構
２１  スクレーパ保持部
２２  アーム部
２３  スクレーパ
２３ａ  剥離ガイド
２４  振動発生部
２５  剥離懸濁物質回収シュート
２５ａ  上部開口部
２５ｂ  下部開口部
２６  剥離懸濁物質貯槽
３０  スクリューコンベア
３０ａ  回転軸
３０ｂ  螺旋羽根
３０ｃ  ガイドプレート
３１  スクリューコンベア駆動モーター
３１ａ  駆動ギア
３１ｂ  従動ギア
３１ｃ  無限軌道
３２，４２  バケットコンベア
３２ａ  バケット
３２ｂ  支持板
３３，４３  回動支持部
３３ａ，４３ａ  固定板
３３ｂ，４３ｂ  垂直板
３３ｃ  水平板
３３ｄ，４３ｄ  固定軸
３３ｅ  付勢バネ
３４  バケット傾倒部材
３５  沈殿物回収部
【図１】
0003133227.tif 000003
【図２】
0003133227.tif 000004
【図３】
0003133227.tif 000005
【図４】
0003133227.tif 000006
【図５】
0003133227.tif 000007
【図６】
0003133227.tif 000008
【図７】
0003133227.tif 000009
【図８】
0003133227.tif 000010
【図９】
0003133227.tif 000011